(57)【要約】【課題】人体に貼付するような場合にも十分に適応できる優れたフレキシビリティ（可撓性）と耐久性があり、白炭の作用を直接的に十分に人体に与えることを可能とする貼付材を提供する。【解決手段】貼付材は、可撓性を有する基材シート１、該基材シートの片面に形成された微粉末白炭シート層２，３、その外側に積層された保護シート４、該基材シートの反対面に形成された粘着材層５、その外側に積層した剥離シート６で構成される。【選択図】　　　　図１
2004041623.tif 000002
【特許請求の範囲】
【請求項１】
可撓性を有する基材シート、
該基材シートの片面に接着剤を用いて形成された微粉末白炭シート層、
該微粉末白炭シート層の外側に積層された保護シート
該基材シートの該微粉末白炭シート層と反対側に形成された人体の皮膚に貼付するための粘着材層、
該粘着材層の外側に積層した剥離シート、
とよりなる貼付材。
【請求項２】
該基材シートがさらに伸縮性、通気性、濾過性、保湿性を有する請求項１の貼付材。
【請求項３】
該微粉末白炭シート層が２層に形成されている請求項１の貼付材。
【請求項４】
白炭の微粉末の粒径が約８０μで、基材シート側の第１層が約４０ｇ／ｍ２、保護シート側の第２層が約２０ｇ／ｍ２に形成された請求項３の貼付材。
【請求項５】
接着剤として油性接着剤を用い、高温で接着剤の溶剤を短時間に急速に飛ばすことにより微粉末白炭シート層を形成した請求項１の貼付材。
【請求項６】
１７０℃以上の高温で接着剤の溶剤を急速に飛ばすことにより微粉末白炭シート層を形成した請求項５の貼付材。
【発明の詳細な説明】
【０００１】
【発明の属する技術分野】
本発明は、白炭を利用した貼付材に関し、更に詳しくは白炭の微粒子層を有する貼付材に関する。
【０００２】
【従来の技術】
備長炭に代表される白炭には種々の優れた作用があることがよく知られているが、白炭の物性上からその優れた作用を利用するにはある意味で非常な困難が伴う。そのため白炭をいろいろな形状に加工して白炭の作用を利用することが試みられている。
【０００３】
例えば、白炭を用いてシート状の形態とするには、白炭が露出する形態であっても白炭が内部に入った形態であっても、白炭自体でもってシート状とすることは不可能であるので、何らかのシート状基材に粒子状の白炭を乗せて固定することが必要である。
【０００４】
シート状基材に粒子状の白炭を乗せるためには当然接着剤を用いるが、白炭は極めて親水性が悪いので、油性であっても水性であっても接着剤とはなじみにくい、即ち良好なヌレが得られず、そのためシート状基材への接着性が悪い。十分な接着性を得ようとすると所謂強力な接着剤を用いざるを得ないが、何とか接着できてシート状としたとしてもその後の白炭は非常にはがれ易い。
【０００５】
はがれを防止するためより、強力な接着剤を使用すると、シート状基材への必要な接着が得られたとしても、白炭が接着剤に完全に包被されて白炭の外部への作用が大きく制限を受けるとか、シート材とは言いながら極めて硬い、即ちフレキシビリティ（可撓性）の低いものになってしまい、シート材としての特性が確保出来ない。
【０００６】
フレキシビリティ（可撓性）の低いシートは、平面状の場所に固着するには適していても、例えば人体に貼付するようなことには適さない。
また、接着剤を用いれば大なり小なり多孔質の白炭の細孔に接着剤が入り込んで目詰まり状となり、白炭の作用が制限されることになる。
【０００７】
【発明が解決しようとする課題】
本発明は人体に貼付するような場合にも十分に適応できるフレキシビリティ（可撓性）の高いシート状の貼付材を得ることにより、白炭の作用を直接的に十分に人体に与えることを可能とするものである。
【０００８】
【課題を解決するための手段】
本発明は、可撓性を有する基材シート、該基材シートの片面に水性接着剤を用いて形成された微粉末白炭シート層、該微粉末白炭シート層の外側に積層された保護シート、該基材シートの該微粉末白炭シート層と反対側に形成された人体の皮膚に貼付するための粘着材層、該粘着材層の外側に積層した剥離紙、とよりなる貼付材を提供する。
【０００９】
該基材シートはさらに伸縮性、通気性、濾過性、保湿性を有することが貼付材を人体に使用するために好ましい。
また微粉末白炭シート層は２層に形成し、粒径が約８０μの微粒子を基材シート側の第１層が約４０ｇ／ｍ２、本発明側の第２層が約２０ｇ／ｍ２となるようにしたものは、白炭の作用をより効率よく人体に作用させるため十分な量（厚さ）の白炭のシート層を形成するために、また人体に貼付するための貼付材として十分なフレキシビリティ（可撓性）と耐用性を得るために非常に好適である。
【００１０】
微粉末白炭シート層を形成するための接着剤は水性接着剤と油性接着剤を用いることができるが、水性接着剤を用いて適切に形成した微粉末白炭シート層は、白炭の細孔内への接着剤の含浸が最少限に抑えられて白炭の作用が制限を受けることが非常に少なく、また、白炭の遠赤外効果も殆ど低減されることなく発現され、シート層のフレキシビリティ（可撓性）を確保するためにも非常に好ましい。しかし、貼付材として人体の皮膚に用いた場合に、発汗の水分、入浴などにより貼付材、特に微粉末白炭シート層が損傷される恐れがある。
【００１１】
油性接着剤の場合、微粉末白炭シート層のフレキシビリティ（可撓性）およびシート層の耐久性の確保のために溶剤の組成比が高いものを用いて短時間に急速にこの溶剤を飛ばして乾燥させることが必要である。
例えば、トルエンを溶剤とするウレタン樹脂接着剤にさらに３０ｗｔ％の酢酸エチルを加えた油性接着剤を用いて１７０℃以上の高温で急速に溶剤を飛ばすことは好ましい貼付材の微粉末白炭シート層を得るための一例である。
【００１２】
基材シートおよび保護シートは必要な性状を有するものであれば常套のものを使用することができる。
貼付部に直接接触するのは主に人の皮膚であるから粘着剤はカブレなどを起させないものであることが好ましい。さらに本発明の貼付材は白炭を用いたものであり、白炭の遠赤外線による温熱効果も本発明の貼付材の主要な効能であるため、貼付部を冷却したいときに用いられる水性粘着剤は好ましくない。温熱作用をさらに高めたいときには粘着剤にトルマリン粉末、ジルコニウム粉末などの常套の遠赤外効果などを得られるものを添加することは効果的である。
【００１３】
【作用】
本発明の貼付材は肩の凝りの原因である血行の改善、或いは腰痛、捻挫などの温熱作用を必要とする時に患部に貼付して用いると、白炭の作用が最大限にまた殆ど直接的に患部の働き、微粉末白炭シート層は耐水性も高いため長時間の使用に耐える。
また貼付材の微粉末白炭シート層はフレキシビリティ（可撓性）が十分であるので貼付する人体部位になじみ長時間の使用にも不快感がない。
本発明の貼付材は　白炭の種々の作用のうち特に遠赤外作用を主として利用するものであるので、油性接着剤を用いた場合の白炭の細孔が塞がれる不利の影響は殆どなく、直接人体に貼付されて白炭の作用が十分に人体に及ぶことになる。さらには白炭には静電気除去作用があるので、静電気が発生しやすい場所、場合に貼付して用いると健康上好ましい効果が得られる。
【００１４】
【発明の実施の形態】
実施例
図１はの貼付材の一実施例の図式的縦断面図である。
１は貼付薬用基布（日本バイリーン株式会社製、ＥＷ−９１００）であり、２はその基布の片面に粒径約８０μの備長炭の微粉末を約４０ｇ／ｍ２にコーティングした微粉末白炭シート層、３はその白炭シート層の上に更に粒径約８０μの備長炭の微粉末を約２０ｇ／ｍ２にコーティングした白炭シート層である。
【００１５】
微粉末白炭シート層は第１層２および第２層３ともに、トルエンを溶剤とするウレタン樹脂接着剤にさらに３０ｗｔ％の酢酸エチルを加えたものに備長炭の微粉末を混ぜて基布にコーティングし、直ちに１７０℃の温度で溶剤を急速に飛ばすことにより形成した。
４は第２層の白炭層３の外側に白炭シート層形成のときと同じ接着剤を用いて積層した薬用基布（日本バイリーン株式会社製、ＴＶ−２００）である。
５は貼付薬用基布１の白炭シート層と反対面にコーティングしたアクリル系粘着剤であり、６はその外側に積層した５０μ厚のＰＥＴ剥離フィルムである。
【００１６】
試験例
試験１
日常的に肩凝りの激しい高年齢の女性５人に、実施例の貼付材を貼付してもらった。
貼付は、実施例の貼付材を４ｃｍ×６ｃｍ角に切断したものを各人とも起床後直ちに片方の肩に２枚ずつ貼付してもらい、その後１２時間連続して貼付を続けてもらった。
第１日終了後各人とも肩凝りの軽減を認め、３日間経過後全員苦痛を覚えるような肩凝りはなくなったと認めた。
【００１７】
試験２
実施例の貼付材の遠赤外分光放射率をＦＴ−ＩＲ方により、積分測定波長域：４〜２０μｍで調べた。
試験結果は下記表３のとおりであった。
この試験結果は当該白炭積層シートが極めて勝れた遠赤外放射能力を発揮することを示している。
【００１８】
2004041623.tif 000003
【００１９】
【発明の効果】
本発明の貼付材は、白炭のシート層で構成されているにもかかわらず、可撓性と耐久性に優れ、常套の貼付材と変わることなく人体への使用が可能であり、白炭の人体への好ましい作用を十分に受けさせることを可能にする。
【図面の簡単な説明】
【図１】本発明の貼付材の図式的縦断面図である。
【符号の説明】
１　基布
２　第１微粉末白炭シート層
３　第２微粉末白炭シート層
４　保護シート
５　粘着剤
６　剥離フィルム
【図１】
2004041623.tif 000004